【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
無線信号を受信する第１アンテナエレメントと第２アンテナエレメントと、
第１アンテナエレメントと第２アンテナエレメントとの少なくともいずれか一方が受信した、第１の通信方式による第１の無線信号を受信処理する第１信号処理部と、
第１アンテナエレメントと第２アンテナエレメントとのいずれか一方が受信した、第２の通信方式による第２の無線信号を受信処理する第２信号処理部と、
前記第１信号処理部と前記第２信号処理部とからのそれぞれの出力信号に基づいて、第１の通信方式で通信するのか第２の通信方式で通信するのかを判断するシステム判断部とを有し、
前記システム判断部から前記第１の通信方式を選択する通知を受けた場合は、前記第１アンテナエレメントと前記第２アンテナエレメントによるダイバーシチを行い、
前記第２の通信方式を選択する通知を受けた場合は、前記第１アンテナエレメントあるいは、前記第２アンテナエレメントによる無線通信を行う無線通信装置。
【請求項２】
第１アンテナエレメントによる通信と第２アンテナエレメントによる通信との切り替えを判断する切り替え判断部を有する請求項１に記載の無線通信装置。
【請求項３】
第１アンテナエレメントと第２アンテナエレメントによる合成ダイバーシチを行うビーム形成部を有する請求項１に記載の無線通信装置。
【請求項４】
第１の通信方式は、ＰＤＣ方式を含む複数のアンテナエレメントによるダイバーシチを行う方式であり、
第２の通信方式は、Ｗ−ＣＤＭＡ方式またはＧＳＭ方式を含む複数のアンテナエレメントによるダイバーシチを行わない方式である請求項１ないし３のいずれか記載の無線通信装置。
【請求項５】
前記第１アンテナエレメントの接続先を前記第１信号処理部と前記第２信号処理部とのいずれか一方に切り替えるシステム切り替え部を有し、
前記第１アンテナエレメントと前記第２アンテナエレメントによる前記ダイバーシチを行い、
更に、前記システム判断部が、第１の通信方式による非通信期間を検出した場合に、
前記システム判断部は、
前記第１アンテナエレメントの接続先を前記第２信号処理部に変更する指示を前記システム切り替え部に出力し、
更に、前記第２信号処理部からの出力信号に基づいて第２の通信方式に切り替えるかどうかを判断する請求項４に記載の無線通信装置。
【請求項６】
前記システム判断部が、前記非通信期間を検出し、前記システム切り替え部に第２信号処理部への前記変更を指示してから、第２の通信方式に切り替えるかどうかの判断を終了するまで、前記第１信号処理部に通信を行わない請求項５に記載の無線通信装置。
【請求項７】
前記第１信号処理部と前記第２信号処理部とが同期を行うタイミングを検出する同期タイミング検出部を有し、
前記システム判断部は、
前記第１の通信方式から前記第２の通信方式に切り替える場合に、
前記同期タイミング検出部が前記第２の通信方式を用いて基地局からの無線リンクの確立を知らせる通知を受けるタイミングを検出するまで、
前記第２の通信方式を用いて前記無線リンクを確立するための通信を行わないタイミングで、前記第１のアンテナエレメントの接続先を第１信号処理部へ変更する指示を前記システム切り替え部に出力し、前記第１の通信方式を用いて前記ダイバーシチによる通信を行う請求項４に記載の無線通信装置。
【請求項８】
第２の通信方式が、Ｗ−ＣＤＭＡ方式である場合に、
前記システム判断部は、
前記第２信号処理部による無線リンクの確立のためのセルサーチの期間では、前記第１信号処理部に通信を行わない請求項７記載の無線通信装置。
【請求項９】
前記システム判断部による前記第１の通信方式と前記第２の通信方式との受信状況を表示する表示部と、
前記第１信号処理部と前記第２信号処理部との電源を、ユーザが前記受信状況に応じて操作することができるユーザ入力部と
を備える請求項５に記載の無線通信装置。
【請求項１０】
第１のアンテナエレメントと第２のアンテナエレメントとによる第１の通信方式でのダイバーシチを行うステップと、
第１の通信方式の非通信期間に第１のアンテナエレメントによる第２の通信方式での受信状況をモニタするステップと、
前記第２の通信方式での受信状況を検出し、前記第１の通信方式での受信状況より好ましい場合、前記第１の通信方式を終了し、前記第２の通信方式に切り替えるステップと
を有する無線通信方法。
【請求項１１】
前記第２の通信方式による通信に切り替えた後に、並行して、第２アンテナエレメントにより第１の通信方式での受信状況をモニタするステップを有する請求項１０に記載の無線通信方法。
【請求項１２】
第１の通信方式は、ＰＤＣ方式を含む複数のアンテナエレメントによるダイバーシチを行う方式であり、
第２の通信方式は、Ｗ−ＣＤＭＡ方式またはＧＳＭ方式を含む複数のアンテナエレメントによるダイバーシチを行わない方式である請求項１０または１１に記載の無線通信方法。
【請求項１３】
前記受信状況は、受信信号強度、ＢＥＲ（Ｂｉｔ  Ｅｒｒｏｒ  Ｒａｔｅ）、スループッ
ト、ＳＮＲ（Ｓｉｇｎａｌ  ｔｏ  Ｎｏｉｓｅ  Ｒａｔｉｏ）あるいはＣＮＲ（Ｃａｒｒｉｅｒ  ｔｏ  Ｎｏｉｓｅ  Ｒａｔｉｏ）である請求項１２に記載の無線通信方法。
【請求項１４】
第１の通信方式の非通信期間に前記第２の通信方式で通信を行う場合に、
前記第１の通信方式による通信を行わないステップをさらに有する請求項１２に記載の無線通信方法。
【請求項１５】
第２の通信方式が、Ｗ−ＣＤＭＡ方式であり、第２の通信方式での受信状況をモニタする場合に、
セルサーチの期間は第１の通信方式による通信を行わないステップを有する請求項１２に記載の無線通信方法。
【請求項１６】
第１の通信方式の非通信期間を検出し、第２の通信方式でＲＡＣＨ（Ｒａｎｄｏｍ  Ａｃｃｅｓｓ  Ｃｈａｎｎｅｌ）を基地局に送信するステップと、
前記ＲＡＣＨに対する前記基地局からの応答時間の経過後に、第２の通信方式に対する前記モニタを中断し、第１の通信方式に戻すステップと、
をさらに有し、
基地局からのＡＩ（Ａｃｑｕｉｓｉｔｉｏｎ  Ｉｎｄｉｃａｔｏｒ）を受信するまで繰り返す請求項１５に記載の無線通信方法。
【手続補正２】
【補正対象書類名】明細書
【補正対象項目名】００１１
【補正方法】変更
【補正の内容】
【００１１】
本発明の無線通信装置は、無線信号を受信する第１アンテナエレメントと第２アンテナエレメントと、第１アンテナエレメントと第２アンテナエレメントとの少なくともいずれか一方が受信した、第１の通信方式による第１の無線信号を受信処理する第１信号処理部と、第１アンテナエレメントと第２アンテナエレメントとのいずれか一方が受信した、第２の通信方式による第２の無線信号を受信処理する第２信号処理部と、第１信号処理部と第２信号処理部とからのそれぞれの出力信号に基づいて、第１の通信方式で通信するのか第２の通信方式で通信するのかを判断するシステム判断部とを有し、システム判断部から第１の通信方式を選択する通知を受けた場合は、第１アンテナエレメントと第２アンテナエレメントによるダイバーシチを行い、第２の通信方式を選択する通知を受けた場合は、第１アンテナエレメントあるいは、第２アンテナエレメントによる無線通信を行うものである。
【手続補正３】
【補正対象書類名】明細書
【補正対象項目名】００１３
【補正方法】変更
【補正の内容】
【００１３】
また、本発明の無線通信装置は、第１アンテナエレメントによる通信と第２アンテナエレメントによる通信との切り替えを判断する切り替え判断部を有するものである。これにより、アンテナエレメントを切り替えるダイバーシチを行うことができる。
また、本発明の無線通信装置は、第１アンテナエレメントと第２アンテナエレメントによる合成ダイバーシチを行うビーム形成部を有するものである。これにより、アンテナエレメントによる合成ダイバーシチを行うことができる。
【手続補正４】
【補正対象書類名】明細書
【補正対象項目名】００１４
【補正方法】変更
【補正の内容】
【００１４】
また、本発明の無線通信装置は、第１の通信方式は、ＰＤＣ方式を含む複数のアンテナエレメントによるダイバーシチを行う方式であり、第２の通信方式は、Ｗ−ＣＤＭＡ方式またはＧＳＭ方式を含む複数のアンテナエレメントによるダイバーシチを行わない方式である。これによって、複数のアンテナエレメントを使用する方式と複数のアンテナエレメントを使用しない方式との切り替えが可能になる。
【手続補正５】
【補正対象書類名】明細書
【補正対象項目名】００１７
【補正方法】変更
【補正の内容】
【００１７】
また、本発明の無線通信装置は、システム判断部が、非通信期間を検出し、システム切り替え部に第２信号処理部への変更を指示してから、第２の通信方式に切り替えるかどうかの判断を終了するまで、第１信号処理部に通信を行わないものである。
【手続補正６】
【補正対象書類名】明細書
【補正対象項目名】００２１
【補正方法】変更
【補正の内容】
【００２１】
また、本発明の無線通信装置は、第２の通信方式が、Ｗ−ＣＤＭＡ方式である場合に、システム判断部は、第２信号処理部による無線リンクの確立のためのセルサーチの期間では、第１信号処理部に通信を行わないものである。
【手続補正７】
【補正対象書類名】明細書
【補正対象項目名】００２９
【補正方法】変更
【補正の内容】
【００２９】
また、本発明の無線通信方法は、第１の通信方式は、ＰＤＣ方式を含む複数のアンテナエレメントによるダイバーシチを行う方式であり、第２の通信方式は、Ｗ−ＣＤＭＡ方式またはＧＳＭ方式を含む複数のアンテナエレメントによるダイバーシチを行わない方式である。
【手続補正８】
【補正対象書類名】明細書
【補正対象項目名】００３２
【補正方法】変更
【補正の内容】
【００３２】
また、本発明の無線通信方法は、第１の通信方式の非通信期間に第２の通信方式で通信を行う場合に、第１の通信方式による通信を行わないステップをさらに有する。
【手続補正９】
【補正対象書類名】明細書
【補正対象項目名】００３４
【補正方法】変更
【補正の内容】
【００３４】
また、本発明の無線通信方法は、第２の通信方式が、Ｗ−ＣＤＭＡ方式であり、第２の通信方式での受信状況をモニタする場合に、セルサーチの期間は第１の通信方式による通信を行わないステップを有するものである。